(57)【要約】【課題】携帯機器側での高い操作性により任意の大きさで画像を入力し、入力した画像を大きな画面中に容易に反映して表示させること。【解決手段】表示装置は、入力装置から送信された画像の情報、及び入力領域の情報を受信するアンテナ11、無線通信部12と、受信した画像の情報及び入力領域の情報に基づいて全体の入力領域中の入力領域の情報に従った領域に画像の情報を配置した画像を投影系13〜17により投影させるＣＰＵ20とを備える。【選択図】図２
2016038876.tif 000002
【特許請求の範囲】
【請求項１】
画像の入力領域を表示する表示手段と、
上記表示手段で表示する入力領域を指示する指示手段と、
上記表示手段で表示する入力領域に対する画像を入力する入力手段と、
上記入力手段で入力した画像の情報、及び上記指示手段で指示した入力領域の情報を送信する送信手段と、
を備えることを特徴とする入力装置。
【請求項２】
上記入力手段は、上記表示手段で表示する入力領域に対するタッチ操作で描画する画像の情報を入力し、
上記指示手段は、上記入力手段でのタッチ操作とは異なる形態のタッチ操作により上記表示手段で表示する入力領域の拡大、縮小及び位置の少なくともいずれかを指示する
ことを特徴とする請求項１記載の入力装置。
【請求項３】
上記入力手段は、上記表示手段で表示する入力領域に対するタッチ操作で描画する画像の情報を入力し、
上記入力手段でのタッチ操作とは異なる形態のタッチ操作により上記表示手段で表示する入力領域の移動を指定する指定手段をさらに備える
ことを特徴とする請求項１記載の入力装置。
【請求項４】
上記請求項１乃至３いずれか記載の入力装置と協働する表示装置であって、
上記送信手段により送信された画像の情報、及び入力領域の情報を受信する受信手段と、
上記受信手段で受信した画像の情報、及び入力領域の情報に基づいて全体の入力領域中の上記入力領域の情報に従った領域に上記画像の情報を配置した画像を表示させる表示制御手段と
を備えることを特徴とする表示装置。
【請求項５】
上記表示制御手段は、上記入力領域の情報に基づき、全体の入力領域中の上記入力領域の範囲を併せて表示させることを特徴とする請求項４記載の表示装置。
【請求項６】
上記表示制御手段は、複数の入力装置から受信した画像の情報を区別して表示させることを特徴とする請求項４または５記載の表示装置。
【請求項７】
上記表示制御手段は、全体の入力領域中に上記画像の情報を配置した画像を光像として形成し、装置外部に投影することを特徴とする請求項４乃至６いずれか記載の表示装置。
【請求項８】
画像の入力領域を表示する表示手段、上記表示手段で表示する入力領域を指示する指示手段、上記表示手段で表示する入力領域に対する画像を入力する入力手段、上記入力手段で入力した画像の情報、及び上記指示手段で指示した入力領域の情報を送信する送信手段、を備える入力装置と、
上記送信手段により送信された画像の情報、及び位置情報を受信する受信手段、上記受信手段で受信した画像の情報、及び入力領域の情報に基づいて全体の入力領域中の上記入力領域の情報に従った領域に上記画像の情報を配置した画像を表示させる表示制御手段を備える表示装置と、
を有することを特徴とする画像入出力システム。
【発明の詳細な説明】
【技術分野】
【０００１】
本発明は、例えばドローソフトの共有使用に好適な画像入力装置、画像出力装置及び画像入出力システムに関する。
【背景技術】
【０００２】
プロジェクタ装置に接続し、当該プロジェクタ装置が出射する投影画面上に描画を行なうようなスマートフォン用のアプリケーションプログラムが実用化されている。この種のプログラムでは、スマートフォン側のディスプレイがプロジェクタの投影画像と１対１に対応するものとなっており、スマートフォンのディスプレイ上でタッチ操作により描画操作を行なった場合、ディスプレイにおける描画内容の比率に対応して、プロジェクタの投影画像上でも描画内容が再現される。
【０００３】
また上記アプリケーションプログラムとは別に、大型ディスプレイに直接ペンデバイスで描画を行なうような電子黒板アプリケーションシステムにおいて、縦横方向のスクロールをボタン操作で実現するようにした技術が提案されている（例えば、特許文献１）。
【先行技術文献】
【特許文献】
【０００４】
【特許文献１】特開２００２−２６８６１７号公報
【発明の概要】
【発明が解決しようとする課題】
【０００５】
上述した一般的なスマートフォン用のアプリケーションプログラムでは、プロジェクタ装置の投影画面とスマートフォンのディスプレイでの描画範囲とが１対１に対応するため、例えばプロジェクタ装置の投影画面に対して細かな多数の文字列を手書きで入力しようとした場合、絶対的な投影／入力面積の相違があるために、スマートフォンのディスプレイ上で手指により非常に細かな筆記動作を行なわなくてはならず、入力できる文字の大きさに限界がある。
【０００６】
本発明は上記のような実情に鑑みてなされたもので、その目的とするところは、大きな画面で表示を行なう装置と、例えば、タッチ入力部及び表示部が一体化したような携帯機器で画像を共有して画像中に任意の画像の入力を行なえるシステムにおいて、携帯機器側での高い操作性により任意の大きさで画像を入力し、入力した画像を大きな画面中に容易に反映して表示させることが可能な画像入力装置、画像出力装置、画像認証システム及びプログラムを提供することにある。
【課題を解決するための手段】
【０００７】
本発明の一態様は、画像の入力領域を表示する表示手段と、上記表示手段で表示する入力領域を指示する指示手段と、上記表示手段で表示する入力領域に対する画像を入力する入力手段と、上記入力手段で入力した画像の情報、及び上記指示手段で指示した入力領域の情報を送信する送信手段と、を備えることを特徴とする。
【発明の効果】
【０００８】
本発明によれば、大きな画面で表示を行なう装置と、例えば、タッチ入力部及び表示部が一体化したような携帯機器で画像を共有して画像中に任意の画像の入力を行なえるシステムにおいて、携帯機器側での高い操作性により任意の大きさで画像を入力し、入力した画像を大きな画面中に容易に反映して表示させることが可能となる。
【図面の簡単な説明】
【０００９】
【図１】本発明の一実施形態に係る画像当システム全体の構成を示す図。
【図２】同実施形態に係るプロジェクタ装置の電子回路の機能構成を示すブロック図。
【図３】同実施形態に係るプロジェクタ装置側で実行される共有ドローアプリケーションでの主要な処理の一部を抽出して示すフローチャート。
【図４】同実施形態に係るスマートフォンでの入力範囲とスクリーン上に投影される入力範囲の遷移を示す図。
【図５】同実施形態に係るスマートフォンでの入力範囲とスクリーン上に投影される入力範囲の遷移を示す図。
【発明を実施するための形態】
【００１０】
以下、本発明をスマートフォンとプロジェクタ装置を用いたドローシステムに適用した場合の一実施形態について図面を参照して詳細に説明する。
【００１１】
図１はそのシステム全体の構成を示す図である。同図で、複数、例えば２台のスマートフォンＳＰ１，ＳＰ２が、近距離無線通信技術であるＢｌｕｅｔｏｏｔｈ（登録商標）により、プロジェクタ装置ＰＪと無線接続される。
【００１２】
これらスマートフォンＳＰ１，ＳＰ２及びプロジェクタ装置ＰＪは、それぞれ予めインストールされた共有ドローアプリケーション（プログラム）により、スマートフォンＳＰ１，ＳＰ２が画像の入力装置、プロジェクタ装置ＰＪが表示装置として機能し、スマートフォンＳＰ１，ＳＰ２でそれぞれのユーザがタッチパネルを手指により描画操作することで画像データが入力され、プロジェクタ装置ＰＪの投影する画像上に当該画像データが反映される。
【００１３】
この図１は、上記共有ドローアプリケーションの初期状態を示す。プロジェクタ装置ＰＪがスクリーンＳＣに投影する画像は、全体の入力領域を示す矩形の罫線画像となり、その最上左端部にカーソルＣが配置されている。
【００１４】
このときプロジェクタ装置ＰＪは、スクリーンＳＣに投影している画像データと全く同じ内容の画像データを、画像サイズを縮小してスマートフォンＳＰ１，ＳＰ２へ無線送信しているため、スマートフォンＳＰ１，ＳＰ２のディスプレイでは、スクリーンＳＣと同じ画像が表示されることになる。  
なお、スマートフォンＳＰ１，ＳＰ２のハードウェア回路の構成自体は、きわめて一般的なものと同様であるものとして、その図示と説明とを省略する。
【００１５】
図２は、上記プロジェクタ装置ＰＪの主として電子回路の機能構成を説明する。同図中、無線通信技術としては例えば上述したようにＢｌｕｅｔｏｏｔｈ（登録商標）に準拠した近距離無線通信システムに対応し、プロジェクタ装置ＰＪと上記スマートフォンＳＰ１，ＳＰ２のペアリング設定が完了しているものとする。上記スマートフォンＳＰ１，ＳＰ２に対して無線通信部１２からアンテナ１１を介して入力領域を示す画像データを送信すると共に、スマートフォンＳＰ１，ＳＰ２での描画操作により作成された通信データが、上記アンテナ１１を用いて無線通信部１２で受信される。無線通信部１２は、受信したデータを復調して画像データ及びその他の制御データに分離する。得られた画像データは、後述する画像メモリ２４に保存されると共に、バスＢを介して投影画像駆動部１３に送られる。
【００１６】
投影画像駆動部１３は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１４を表示駆動する。
【００１７】
このマイクロミラー素子１４は、アレイ状に配列された複数個、例えば横１６００個×縦１２００個の微小ミラーの各傾斜角度を個々に高速でオン／オフ動作して表示動作することで、その反射光により光像を形成する。
【００１８】
一方で、光源部１５から時分割でＲ，Ｇ，Ｂの原色光が循環的に出射される。光源部１５は、半導体発光素子であるＬＥＤを有し、Ｒ，Ｇ，Ｂの原色光を時分割で繰返し出射する。光源部１５が有するＬＥＤは、広義でのＬＥＤとして、ＬＤ（半導体レーザ）や有機ＥＬ素子を含むものとしても良い。
【００１９】
また、ＬＥＤから出射された光を蛍光体に照射することで励起される、元の光とは波長が異なる原色光を用いるものとしても良い。この光源部１５からの原色光が、ミラー１６で全反射して上記マイクロミラー素子１４に照射される。
【００２０】
そして、マイクロミラー素子１４での反射光で光像が形成され、形成された光像が投影レンズ部１７を介して、上記スクリーンＳＣに投影される。
【００２１】
また当該共有ドローアプリケーションで使用する効果音等の音声データが、バスＢを介して音声処理部１８へ送信される。この音声処理部１８は、例えばＰＣＭ音源などの音源回路を有し、送られてきた音声データに基づいて当該アプリケーションにおけるビープ音等の音声信号を再生して、スピーカ部１９Ｌ，１９Ｒより放音させる。
【００２２】
上記各回路の動作すべてをＣＰＵ２０が制御する。このＣＰＵ２０は、メインメモリ２１及びプログラムメモリ２２と直接接続される。メインメモリ２１は、例えばＳＲＡＭで構成され、ＣＰＵ２０のワークメモリとして機能する。プログラムメモリ２２は、電気的書換可能な不揮発性メモリ、例えばフラッシュＲＯＭで構成され、上記共有ドローアプリを含んでＣＰＵ２０が実行する動作プログラムや各種定型データ等を記憶する。
【００２３】
ＣＰＵ２０は、上記プログラムメモリ２２に記憶されているプログラムや定型データ等を読出し、メインメモリ２１に展開して記憶させた上で当該プログラムを実行することにより、このプロジェクタ装置ＰＪを統括して制御する。
【００２４】
上記ＣＰＵ２０は、操作部２３からの操作信号に応じて各種投影動作を実行する。この操作部２３は、プロジェクタ装置ＰＪの本体に備えるキー入力部、及びこのプロジェクタ装置ＰＪの図示しないリモートコントローラとその操作信号を受信する受信部とを含み、操作に応じたキー操作信号を直接上記ＣＰＵ２０へ送出する。
【００２５】
上記ＣＰＵ２０はさらに、上記バスＢを介して画像メモリ２４、入力部２５と接続される。  
上記画像メモリ２４は、この共有ドローアプリケーションでの入力領域を示す画像データ、上記スマートフォンＳＰ１，ＳＰ２での描画操作により作成された画像データ等を記憶し、必要により上記投影画像駆動部１３に読出す。  
入力部２５は、ここでは図示しない外部機器から有線接続により入力された画像データ等を入力し、必要によりＡ／Ｄ変換、スケーリング等の処理を実行して、得た画像データを上記投影画像駆動部１３へ出力する。
【００２６】
次に上記実施形態の動作について説明する。  
本実施形態においては、入力装置であるスマートフォンＳＰ１，ＳＰ２がディスプレイと一体化されたタッチパネルでのタッチ操作の検出のみを行ない、検出された座標値列情報は逐次プロジェクタ装置ＰＪ側へ送信する。
【００２７】
なおスマートフォンＳＰ１，ＳＰ２は、上記タッチパネルにおいて複数の手指により同時にタッチ操作するマルチタッチ操作に対応しているものとする。
【００２８】
プロジェクタ装置ＰＪでは、スマートフォンＳＰ１，ＳＰ２でのタッチ操作に応じてスマートフォンＳＰ１，ＳＰ２で表示させる入力領域に関する処理、及び描画に関する処理等を統括して実行し、スクリーンＳＣでの投影画像に描画内容を反映させる一方で、スマートフォンＳＰ１，ＳＰ２にそれぞれ入力領域における描画内容等を反映した画像データを作成して送信し、それらのディスプレイで表示させるものとする。
【００２９】
図３は、プロジェクタ装置ＰＪにおいてＣＰＵ２０が実行する、共有ドローアプリケーションでの主要な処理の一部を抽出して示すものである。その当初にＣＰＵ２０は、一定周期でアンテナ１１及び無線通信部１２を介してスマートフォンＳＰ１，ＳＰ２側からタッチ操作の座標値列情報を取得する（ステップＳ１０１）。そして、取得した座標値列情報の内容から、２本指の操作によるピンチイン／アウト操作であるか否か（ステップＳ１０２）、２本指のスワイプ操作であるか否か（ステップＳ１０３）、１本指のスワイプ操作であるか否か（ステップＳ１０４）を順次判断し、それらのいずれでもないと判断した場合には、当該タッチ操作を無効化して、再び上記ステップＳ１０１からの処理に戻る。
【００３０】
こうして上記ステップＳ１０１〜Ｓ１０４の処理を繰返し実行する過程で、スマートフォンＳＰ１，ＳＰ２でのいずれかのタッチ操作がなされるのを待機する。
【００３１】
図４（Ａ）は、上記図１でも示した、上記共有ドローアプリケーションの初期状態を示す。プロジェクタ装置ＰＪがスクリーンＳＣに投影する画像において、全体の入力領域を示す矩形の罫線画像となり、その最上左端部にカーソルＣが配置されている。
【００３２】
このときスマートフォンＳＰ１でも、プロジェクタ装置ＰＪからの画像データを受信することで、上記スクリーンＳＣと同じ画像が表示されている。
【００３３】
ここで例えばスマートフォンＳＰ１のユーザが、タッチパネルによりディスプレイの一部を拡大させるような２本指でのピンチアウト操作（タッチ操作位置が互いに離れるような操作）を行なった場合、プロジェクタ装置ＰＪでは上記ステップＳ１０２において当該操作があったことを判断し、その操作量、すなわち操作当初の２本の手指の各座標位置と、操作終了時の２本の手指の各座標位置とから、縮小／拡大率を算出する（ステップＳ１０５）。
【００３４】
この場合、ピンチアウト操作であり、２本の手指を広げるように操作されたことから、その操作ストロークの比率により拡大率を算出する。
【００３５】
併せてプロジェクタ装置ＰＪのＣＰＵ２０は、操作当初の２本の手指の中心座標により、縮小／拡大の中心となる位置を特定した上で、上記縮小／拡大率を勘案して、縮小／拡大後にスマートフォンＳＰ１，ＳＰ２で表示させる入力範囲を算出する（ステップＳ１０６）。
【００３６】
例えば上記スマートフォンＳＰ１で入力範囲の左上端近傍で２本の手指によるピンチアウト操作がなされた場合、ＣＰＵ２０では図４（Ｂ）に示すように、スクリーンＳＣに投影する画像中で、それまでのカーソルＣに代えて、投影画像中の左上端に上記ピンチアウト操作での操作量に対応したスマートフォンＳＰ１での入力範囲ＡＲ１を例えば矩形の破線範囲が点滅するように識別して投影させる（ステップＳ１０７）。
【００３７】
これと共にＣＰＵ２０は、上記入力範囲ＡＲ１がスマートフォンＳＰ１のディスプレイ全域に渡って表示されるようなあらたな画像データを作成し、スマートフォンＳＰ１に対して送信してそのディスプレイで表示させ（ステップＳ１０８）、以上でピンチアウト操作に対する処理を終え、次の操作に備えるべく、再び上記ステップＳ１０１からの処理に戻る。
【００３８】
その後、スマートフォンＳＰ１において、タッチパネルによりディスプレイを一方向になぞるような２本指でのスワイプ操作（タッチ操作位置が平行に移動するような操作）を行なった場合、プロジェクタ装置ＰＪでは上記ステップＳ１０３において当該操作があったことを判断し、その操作量、すなわち操作当初の２本の手指の各座標位置と、操作終了時の２本の手指の各座標位置とから、移動の方向と量と算出する（ステップＳ１０９）。
【００３９】
そして、算出した移動の方向と量に応じて、全体の入力領域中における上記入力範囲ＡＲ１の移動位置を算出する（ステップＳ１１０）。
【００４０】
例えば上記図４（Ｂ）の状態から、スマートフォンＳＰ１で２本の手指による右下方向へのスワイプ操作がなされた場合、ＣＰＵ２０では図４（Ｃ）に示すように、スクリーンＳＣに投影する画像中で、入力範囲ＡＲ１の位置をそれまでの位置から右下方に移動させる（ステップＳ１１１）。
【００４１】
これと共にＣＰＵ２０は、移動したあらたな上記入力範囲ＡＲ１の画像データを作成し、スマートフォンＳＰ１に送信してそのディスプレイで表示させ（ステップＳ１１２）、以上で２本の手指によるスワイプ操作に対する処理を終え、次の操作に備えるべく、再び上記ステップＳ１０１からの処理に戻る。
【００４２】
さらにスマートフォンＳＰ１において、タッチパネルにより表示されている範囲内で任意に描画するような１本指でのスワイプ操作（タッチ操作位置が任意に移動するような操作）を行なった場合、プロジェクタ装置ＰＪでは上記ステップＳ１０４において当該操作があったことを判断し、その操作による座標値列の情報を取得する（ステップＳ１１３）。
【００４３】
そして、取得した座標値列の情報と、その時点で設定されている描画の線の種類、線の太さ、色等の描画条件情報とに応じて、入力範囲ＡＲ１内に投影する描画データを作成する（ステップＳ１１４）。
【００４４】
例えば上記図４（Ｃ）の状態から、スマートフォンＳＰ１で１本の手指によるひらがな「あ」を書くようなスワイプ操作がなされた場合、ＣＰＵ２０では図５（Ａ）に示すように、スクリーンＳＣに投影する画像中で、入力範囲ＡＲ１内に操作に応じた描画データ「あ」を投影させる（ステップＳ１１５）。
【００４５】
これと共にＣＰＵ２０は、描画された内容を反映したあらたな上記入力範囲ＡＲ１の画像データを作成し、スマートフォンＳＰ１に送信してそのディスプレイで表示させ（ステップＳ１１６）、以上で１本の手指によるスワイプ操作に対する描画に対する処理を終えて、次の操作に備えるべく、再び上記ステップＳ１０１からの処理に戻る。
【００４６】
以上は、主としてスマートフォンＳＰ１側でのタッチ操作を具体的な例として説明したが、一方のスマートフォンＳＰ２においても同様のタッチ操作に応じた処理が可能であることは言うまでもない。
【００４７】
図５（Ｂ）は、スマートフォンＳＰ２でのタッチ操作により、その入力範囲ＡＲ２を全体の入力範囲の右下方に移動させた状態で、その入力範囲ＡＲ２内に操作に応じた描画データ「ア」を投影させた状態を例示する。
【００４８】
各入力範囲ＡＲ１，ＡＲ２の大きさや位置はそれぞれのスマートフォンＳＰ１，ＳＰ２により任意に操作が可能であり、また入力範囲ＡＲ１，ＡＲ２が全体の入力範囲中で重複することも考えられる。
【００４９】
以上詳述した如く本実施形態によれば、大きな画面で表示を行なうプロジェクタ装置ＰＪと、タッチ入力部及び表示部が一体化したスマートフォンＳＰ１，ＳＰ２で画像を共有して画像中に任意の画像の入力を行なえるシステムを構築し、スマートフォンＳＰ１，ＳＰ２側での高い操作性により任意の大きさで画像を入力し、入力した画像を大きな画面中に容易に反映して表示させることが可能となる。
【００５０】
また上記実施形態では、描画のためのスワイプ操作とは異なる形態、例えばピンチイン／アウト操作により入力範囲の縮小／拡大を指示するものとしたので、日常スマートフォンなどのタッチパネルを用いた情報端末を使用している者にとってきわめて自然な操作により入力範囲の縮小／拡大を実現できる。
【００５１】
さらに上記実施形態では、描画のためのスワイプ操作とは異なる形態、例えば２本指でのスワイプ操作により入力範囲の移動を指示するものとしたので、これも日常スマートフォンなどのタッチパネルを用いた情報端末を使用している者にとってきわめて自然な操作により入力範囲の移動を実現できる。
【００５２】
また上記実施形態では、スマートフォンＳＰ１，ＳＰ２での入力領域をプロジェクタ装置ＰＪがスクリーンＳＣに投影する画像中に入力範囲ＡＲ１，ＡＲ２として重ねて投影させるものとしたので、スマートフォンＳＰ１，ＳＰ２のユーザは全体の入力領域において自装置で表示されている入力領域が占める位置、大きさを投影内容から適切に判断して、描画する内容に活かすことができる。
【００５３】
また、特に本実施形態では、複数台、例えば２台のスマートフォンＳＰ１，ＳＰ２により１台のプロジェクタ装置ＰＪが投影する画像中に併せて描画を行なえるものとしたので、例えば参加者がスマートフォンやタブレット等の情報端末装置を持ち寄っての会議などで個々の描画内容を共有する大型のディスプレイ上に併せて反映させるなど、使用環境に応じた幅広い用途に適用可能となる。
【００５４】
なお、ここでは、２台のスマートフォンＳＰ１，ＳＰ２を用いて描画を行なえる共有ドローアプリケーションの例で説明したが、本発明は、３台以上のスマートフォンを用いる場合にも適用できるし、また、１台のスマートフォンのみに対応するドローアプリケーションにも適用できることは言うまでもない。
【００５５】
なお上記実施形態では、共有する大きな画像を表示（投影）する機器としてプロジェクタ装置ＰＪを用いた場合を例に取って説明したが、本発明はこれに限るものではない。しかしながら、プロジェクタ装置ＰＪのように大画面で画像を投影することが前提とされる機器を用いることで、複数の画像を混在して画像を共有するようなシステムを構築する上で特に有効となる。
【００５６】
また上記実施形態では、個々のユーザがスマートフォンを入力装置として描画データを入力する場合について説明したが、本発明はこれに限らず、携帯電話端末（フィーチャーフォン）によりテキストデータを画像として入力する場合や、デジタルカメラにより撮影した画像を共有の大きな領域に貼り付けるような使用方法などにも同様に適用可能となる。
【００５７】
同様に、プロジェクタ装置ＰＪとスマートフォンＳＰ１，ＳＰ２とを例えば近距離無線通信技術であるＢｌｕｅｔｏｏｔｈ（登録商標）技術で無線接続する場合について説明したが、Ｗｉ−Ｆｉ通信で無線接続する場合や、入力装置と表示装置とを接続する手段は無線通信に限らず、例えば広く普及しているイーサネット（登録商標）など有線のＬＡＮ接続においても容易に実現可能である。
【００５８】
また上記実施形態では、共有ドローアプリケーションとして、入力装置であるスマートフォンＳＰ１，ＳＰ２ではタッチ操作と入力結果の部分的な表示のみを行ない、表示装置であるプロジェクタ装置ＰＪ側で、タッチ操作された内容の判断、入力領域の可変設定、描画データの作成等、ほとんどの処理工程を負担するものとしたが、入力装置側で画像データを作成した上で表示装置側へ送信するなど、アプリケーションプログラムを構築する上で各装置の処理負担をどのように振り分けるかは、任意に設定することができるものとする。
【００５９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６０】
以下に、本願出願の当初の特許請求の範囲に記載された発明を付記する。  
請求項１記載の発明は、画像の入力領域を表示する表示手段と、上記表示手段で表示する入力領域を指示する指示手段と、上記表示手段で表示する入力領域に対する画像を入力する入力手段と、上記入力手段で入力した画像の情報、及び上記指示手段で指示した入力領域の情報を送信する送信手段と、を備えることを特徴とする。  
請求項２記載の発明は、上記請求項１記載の発明において、上記入力手段は、上記表示手段で表示する入力領域に対するタッチ操作で描画する画像の情報を入力し、上記指示手段は、上記入力手段でのタッチ操作とは異なる形態のタッチ操作により上記表示手段で表示する入力領域の拡大、縮小及び位置の少なくともいずれかを指示することを特徴とする。  
請求項３記載の発明は、上記請求項１記載の発明において、上記入力手段は、上記表示手段で表示する入力領域に対するタッチ操作で描画する画像の情報を入力し、上記入力手段でのタッチ操作とは異なる形態のタッチ操作により上記表示手段で表示する入力領域の移動を指定する指定手段をさらに備えることを特徴とする。  
請求項４記載の発明は、上記請求項１乃至３いずれか記載の入力装置と協働する表示装置であって、上記送信手段により送信された画像の情報、及び入力領域の情報を受信する受信手段と、上記受信手段で受信した画像の情報、及び入力領域の情報に基づいて全体の入力領域中の上記入力領域の情報に従った領域に上記画像の情報を配置した画像を表示させる表示制御手段とを備えることを特徴とする。  
請求項５記載の発明は、上記請求項４記載の発明において、上記表示制御手段は、上記入力領域の情報に基づき、全体の入力領域中の上記入力領域の範囲を併せて表示させることを特徴とする。  
請求項６記載の発明は、上記請求項４または５記載の発明において、上記表示制御手段は、複数の入力装置から受信した画像の情報を区別して表示させることを特徴とする。  
請求項７記載の発明は、上記請求項４乃至６いずれか記載の発明において、上記表示制御手段は、全体の入力領域中に上記画像の情報を配置した画像を光像として形成し、装置外部に投影することを特徴とする。  
請求項８記載の発明は、画像の入力領域を表示する表示手段、上記表示手段で表示する入力領域を指示する指示手段、上記表示手段で表示する入力領域に対する画像を入力する入力手段、上記入力手段で入力した画像の情報、及び上記指示手段で指示した入力領域の情報を送信する送信手段、を備える入力装置と、上記送信手段により送信された画像の情報、及び位置情報を受信する受信手段、上記受信手段で受信した画像の情報、及び入力領域の情報に基づいて全体の入力領域中の上記入力領域の情報に従った領域に上記画像の情報を配置した画像を表示させる表示制御手段を備える表示装置と、を有することを特徴とする。
【符号の説明】
【００６１】
１１…アンテナ、
１２…無線通信部、
１３…投影画像駆動部、
１４…マイクロミラー素子、
１５…光源部、
１６…ミラー、
１７…投影レンズ部、
１８…音声処理部、
１９Ｌ，１９Ｒ…スピーカ部、
２０…ＣＰＵ、
２１…メインメモリ、
２２…プログラムメモリ、
２３…操作部、
２４…画像メモリ、
２５…入力部、
ＡＲ１，ＡＲ２…（各スマートフォンの）入力範囲、
Ｂ…バス、
ＰＪ…プロジェクタ装置、
ＳＣ…スクリーン、
ＳＰ１，ＳＰ２…スマートフォン。
【図１】
2016038876.tif 000003
【図２】
2016038876.tif 000004
【図３】
2016038876.tif 000005
【図４】
2016038876.tif 000006
【図５】
2016038876.tif 000007